(57)【要約】【課題】既存の椅子や車椅子に容易に装着でき、座面の高さや背もたれ等の位置、使用者の体型に合わせて自在に詳細な調整が可能な補助座用具を提供する。【解決手段】座用具を、使用者の身体を支えるに必要な形状、間隔、及び個数の中央棒１と、中央棒１に必要な間隔を実現する形状で、座用具全体が所定の長さとなるような個数の連結部品２と、先端部連結部品３と、足置き板５の取り付けられた末端部連結部品４を、自在な角度に調節可能な連結部６において、強固に連結固定することにより構成する。【選択図】図１
2008295602.tif 000002
【特許請求の範囲】
【請求項１】
椅子もしくは車椅子に装着して使用可能でかつ、チェーンの如き多数の自在な連結構造を連続的に保持することにより形成される、体位を保持するための座用具。
【請求項２】
複数の棒状の座面材もしくは背もたれ材で構成される、請求項１の座用具。
【請求項３】
座面材及び背もたれ材が自在な角度に調整及び固定可能な、請求項１の座用具。
【請求項４】
座面材及び背もたれ材と、連結材を同一の接合材により固定される、請求項１の座用具。
【請求項５】
連結される基本連結材数を変更することにより、容易に全体の長さを変更可能な、請求項１の座用具。
【請求項６】
連結材取り付け角度を調整して、椅子もしくは車椅子に装着することにより、椅子もしくは車椅子の座面高さ及び背もたれ位置を、使用者に合致可能な、請求項１の座用具。
【請求項７】
連結材同士が連結された状態で、凹凸が小さくなるよう配慮された連結材形状の、請求項１の座用具。
【請求項８】
足置き部をもつ、請求項１の座用具。
【請求項９】
椅子もしくは車椅子から取り外しても使用可能な、請求項１の座用具。
【発明の詳細な説明】
【技術分野】
【０００１】
本発明は椅子及び車椅子用の座補助用具の製造方法に関する
【背景技術】
【０００２】
使用者の所望する座面高さや、背もたれの位置に調節可能な椅子や車椅子は多く考案されている。しかしながら、既存の椅子や車椅子において、使用者の体型に合わない場合、従来は椅子や車椅子を改造し寸法を変更するか、クッション等の調整材により調整することが常である。
【０００３】
しかしながら、椅子や車椅子を改造することは、技術的に困難なことが多い。また、座面の高さや奥行き寸法の変更だけでは、使用者毎の異なる体型に細かく調節することは難しい。また、クッションなどによって調整する場合、使用者の体型や加重によって調整材の形状が受動的に決定される。したがって、使用者を積極的に適切な姿勢に矯正することは困難であった。
【０００４】
小柄な使用者が既存の一般的な成人用椅子や車椅子を使用する場合、適正な姿勢のためには、足下からの座面高さのみならず座面の長さについても調節が必要である。座面高さは足下に足置き台を併用する等によって調節が可能であるが、背もたれ位置を決定する座面長さについては考慮されないことが多い。また、既存の車椅子の構造上、肘掛けがあるために、既存のテーブルを使用者にとっての適正な高さで使うことが困難であった。
【特許文献１】特開平６−２０９６６１号公報
【特許文献２】特開２０００−３３３７７１号公報
【発明の開示】
【発明が解決しようとする課題】
【０００５】
本発明は、かかる従来の問題を解決するためになされたものであって、その目的とするところは、既存の椅子や車椅子に容易に装着でき、座面の高さや背もたれ等の位置、使用者の体型に合わせて自在に詳細な調整が可能な座用具を提供するものである。
【課題を解決するための手段】
【０００６】
身体を支える中央棒を左右の連結部品で挟み込み、左右の連結部品はチェーンの如く多数連結して構成する。各々の連結部は自在な位置に強固に固定可能なものとする。
【０００７】
連結構造はいずれの連結部においても共通なものとする。これにより、左右の連結部品は連結数を変更、あるいは連結部品の長さを変更することにより、全体の構成長さを容易に変更可能なものとする。
【０００８】
車椅子で使用する際の連結部品は、足下にあたる部品を足置き形状とし、跳ね上げ式とするのが好ましい。
【０００９】
連結部品同士の連結角度は大きくとることが可能な形状とし、調整位置によって座面高さや奥行きや使用者頭部の保持等に供することが可能なものとする。
【００１０】
本座用具は椅子や車椅子に螺子、着脱帯、あるいは紐等により強固に固定するものとする。
【００１１】
使用者からの加重に十分に耐え、かつ加重の分散が十分に行われる中央棒の幅と間隔とするのがよい。また、中央部を凹曲させ、加重の分散と体型保持に寄与するのがよい。
【００１２】
左右の姿勢保持のために必要な場合には、クッション片等を本座用具に装着してもよい。また座用具全体を薄いクッション、あるいは布等によって覆ってもよい。
【発明の効果】
【００１３】
本発明によれば、本座用具を多くの既存の椅子や車椅子に容易に装着し、使用することが可能である。
【００１４】
高さや奥行きのみならず、使用者の多様な体型に合わせた形状に、容易に調整することが可能である。また、使用者の体型の変化等や要求の変化に応じて、調整位置を順次変更することが可能である。
【００１５】
中央棒同士は空間を開けて構成されるため通気性が向上し、褥瘡防止に寄与することが可能である。
【発明を実施するための最良の形態】
【００１６】
以下、図面に基づいて本発明の座用具を実現する形態を説明する。
【実施例１】
【００１７】
本特許の座用具は、図１に示すように、中央棒１、連結部品２、先端部連結部品３、末端部連結部品４、及び足置き板５を主要な構成としている。中央棒１は連結部品２、あるいは先端部連結部品３、あるいは末端部連結部品４は連結部６において自在な角度で連結される。
【００１８】
連結部品２同士、連結部品２と先端部連結部品３、あるいは連結部品２と末端部連結部品４は、連結部６において自在な角度で結合され、中央棒１とともにチェーンの如く連結される。連結数は使用に供するに適切な数とする。
【００１９】
連結部６においては、ボルト等により、中央棒１と連結部品２等と強固に連結せしめるとともに、これを緩めることにより、容易に角度を調節可能なものとする。中央棒１の角度は、使用者に対して、できる限り広い面積で接するよう、調節するのがよい。
【００２０】
中央棒１は、連結部品２等の角度を調節可能とするために、ある程度の間隔をもって構成されることから、高い通気性が確保される。
【００２１】
中央棒１と連結部品２等とは同一のボルト等により結合するが、同一としないこともできる。また、連結部とは異なる位置に中央棒１を追加してもよい。
【００２２】
中央棒１は使用者の加重に十分耐えうる強度と、使用者の臀部等の血流を妨げない幅及び間隔と、使用者を中央部に適度に保持するのに適する曲がりとする。座用具で構成されるすべての中央棒１は、必要により各々異なる形状としてもよい。
【００２３】
連結部品２、先端部連結部品３、及び末端部連結部品４は、凹凸の少ない連結状態となるよう形状に配慮する。また、各々の取り付け間隔は、中央棒１の間隔を実現するものとする。
【００２４】
末端部連結部品４は必要であれば足置き板５を取り付ける。なお、座用具を車椅子で使用する場合、足置き板５は跳ね上げ可能とする等、足を床に下ろしやすいよう配慮するのが望ましい。
【実施例２】
【００２５】
次に第２実施例に係わる座用具を図２に示す。
本例では、第１実施例の座用具を車椅子７へ装着し、右側面より図示した例である。第１実施例と同様、中央棒、連結部品２、先端部連結部品３、末端部連結部品４、及び足置き板５を主要な構成としている。
【００２６】
座用具の各部の角度は、使用者の体型へ予め適切に調節し、強固に固定の後、車椅子７へ装着するか、車椅子へ乗せた状態で仮固定の後、一旦取り外して強固に固定の後、車椅子へ装着する。
【００２７】
使用者は座用具の上にそのまま座って使用してもよく、柔軟性のあるシート状のクッション材を乗せて使用してもよい。また、全体を布などで覆ってもよい。
【００２８】
連結部品２等の連結間隔が比較的小さく、連結角度が自在なため、使用者の体型に細かく調節できるため、座り心地がよく、使用者からの加重を分散しやすく、適切な姿勢を比較的長時間保つことが可能である。
【００２９】
座用具の形状は、使用者の体型と同一形状に調節するような受動的な使用のみならず、使用者の体型の矯正を目的に使用することも可能である。
【００３０】
背もたれ部の連結部品２及び先端部連結部品３を、図２の如く高く伸ばすことにより、使用者頭部の保持を補助することが可能である。
【実施例３】
【００３１】
次に第３実施例に係わる座用具を図５に示す。
本例では、第１実施例の座用具を、第２実施例と同様に車椅子７へ装着した例であるが、同一の座用具を、より小柄な使用者が、既存の車椅子と既存のテーブル等を、組み合わせて使用することを想定して調節した例である。
【００３２】
第１実施例と同様、中央棒、連結部品２、先端部連結部品３、末端部連結部品４、及び足置き板５を主要な構成としている。
【００３３】
第２実施例と同様、座用具の各部の角度は、使用者の体型へ予め適切に調節し、強固に連結の後、車椅子７へ固定するか、車椅子７へ乗せた状態で仮固定の後、一時的に取り外して強固に連結の後、車椅子７へ固定する。
【００３４】
小柄な使用者に合わせて調節する場合、座用具各部の角度保持が困難な場合、調整材８を車椅子７と座用具との間に装填した後、座用具を車椅子７へ固定する。
【００３５】
この座用具によれば、小柄な使用者が、既存の車椅子と既存のテーブル等を組み合わせて使用する場合であっても、適正な姿勢を保ちつつ、快適に既存のテーブル等を使用することが可能である。
【図面の簡単な説明】
【００３６】
【図１】実施例１に係わる座用具である。
【図２】実施例２に係わる座用具を車椅子へ装着した例である。
【図３】実施例３に係わる座用具を車椅子へ装着した例である。
【符号の説明】
【００３７】
１  中央棒
２  連結部品
３  先端部連結部品
４  末端部連結部品
５  足置き板
６  連結部
７  車椅子
８  調整材
【図１】
2008295602.tif 000003
【図２】
2008295602.tif 000004
【図３】
2008295602.tif 000005